(57)【特許請求の範囲】
【請求項１】
凹状の機器収容部を有した緩衝材で形成される機器緩衝部が内装されたケース本体と、
このケース本体に被着されて開口を閉塞するものであって、緩衝材で形成された機器緩衝部が前記ケース本体の機器緩衝部の機器収容部に対向して内装されたケース蓋と、
前記ケース本体の機器緩衝部の機器収容部に挿入され、前記ケース蓋の機器緩衝部に当接されて収容される機器本体と、
前記ケース本体の開口に設けられた第１のストッパー部材と、
前記機器本体に配され、該機器本体への取付面方向に回動自在でかつばね力の付与により前記取付面から離間している係止部を有し、前記機器本体が前記機器収容部から離脱した場合に前記係止部が前記第１のストッパー部材に係止する第２のストッパー部材と、
を具備することを特徴とする機器保護ケース。
【請求項２】
前記第１及び前記第２のストッパー部材は、少なくとも一方が着脱自在に設けられることを特徴とする請求項１記載に機器保護ケース。
【請求項３】
前記ケース蓋の前記機器緩衝部には、凹状の機器収容部が前記ケース本体の前記機器緩衝部の前記機器収容部に対向して設けられることを特徴とする請求項１又は２記載の機器保護ケース。
【請求項４】
前記第１のストッパー部材は、前記ケース本体に対して回動自在に配されかつばね力の付勢を受け、前記ケース蓋の前記ケース本体への着脱に連動して回動され、前記ケース蓋が前記ケース本体から離脱されると、前記ばね力の付勢により前記第２のストッパー部材の前記係止部と係止するための係止位置に回動することを特徴とする請求項１乃至３のいずれか記載の機器保護ケース。
【請求項５】
前記第２のストッパー部材は、前記係止部が前記第１のストッパー部材あるいは前記ケース本体の内壁に当接した状態で衝撃を吸収することを特徴とする請求項１乃至４のいずれか記載の機器保護ケース。
【発明の詳細な説明】
【技術分野】
【０００１】
本発明の実施形態は、例えば精密機器等の機器本体を保護するのに用いられる機器保護ケースに関する。
【背景技術】
【０００２】
従来、精密機器をケースに収納して移動・運搬する場合には、機器本体を外部から加わる振動や衝撃等から保護することが重要な課題となっている。この保護方法としては、精密機器を緩衝材で覆い、この緩衝材で覆った精密機器をケース内に収納して外部からの振動や衝撃等から保護する方法等がある。
【先行技術文献】
【特許文献】
【０００３】
【特許文献１】特開２００９−００３６１１号公報
【発明の概要】
【発明が解決しようとする課題】
【０００４】
しかしながら、従来の保護方法では、外部から加わる振動や衝撃に対して効果的な保護が可能であるが、例えばケースが転倒して逆さまになり、ケース蓋が開いてしまうと、収納してある精密機器がケースから飛び出し・落下して損傷したりする虞を有する。
【０００５】
本発明の目的は、確実な衝撃保護を実現し得、且つ、簡便にして容易な取扱いを実現し得るようにした機器保護ケースを提供することにある。
【課題を解決するための手段】
【０００６】
実施形態によれば、機器保護ケースは、ケース本体と、ケース蓋と、機器本体と、第１のストッパー部材と、第２のストッパー部材とを具備する。ケース本体は、凹状の機器収容部を有した緩衝材で形成される機器緩衝部が内装される。ケース蓋は、ケース本体に被着されて開口を閉塞するものであって、緩衝材で形成された機器緩衝部がケース本体の機器緩衝部の機器収容部に対向して内装される。機器本体は、ケース本体の機器緩衝部の機器収容部に挿入され、ケース蓋の機器緩衝部に当接されて収容される。第１のストッパー部材は、ケース本体の開口に設けられる。第２のストッパー部材は、前記機器本体に配され、該機器本体への取付面方向に回動自在でかつばね力の付与により前記取付面から離間している係止部を有し、前記機器本体が前記機器収容部から離脱した場合に前記係止部が前記第１のストッパー部材に係止する。
【図面の簡単な説明】
【０００７】
【図１】本実施形態に係る機器保護ケースの分解斜視図である。
【図２】図１のＡ−Ａを断面して示した断面図である。
【図３】図１のケース蓋をケース本体に被着した状態をＡ−Ａで断面して示した断面図である。
【図４】図１のストッパー部材を機器本体に取付ける一例を示した断面図である。
【図５】図３の収納状態において上下方向に衝撃が加わった状態を示した断面図である。
【図６】図３の収納状態において左右方向に衝撃が加わった状態を示した断面図である。
【図７】図１のケース蓋をケース本体から離脱した状態を示した断面図である。
【図８】図１のケース蓋が離脱された状態でも、機器本体がケース本体から脱落阻止されるのを説明するために示した断面図である。
【発明を実施するための形態】
【０００８】
以下、実施形態について、図面を参照して詳細に説明する。
【０００９】
図１は、実施形態に係る機器保護ケースを示すもので、ケース本体１０は、例えば樹脂材料により凹状に形成される。そして、このケース本体１０の開口側には、例えば樹脂材料製の凹状のケース蓋１１が被着されて閉塞される。このケース蓋１１は、例えばケース本体１０の開口に被着された状態で、図示しないロック機構により閉塞位置に位置決めされる。
【００１０】
ケース本体１０には、図２及び図３に示すように発泡材、例えば発泡スポンジゴム等の緩衝材で形成された機器緩衝部１２が開口側に空隙を有して内装される。この機器緩衝部１２の上面には、凹状の機器収容部１２１が設けられ、この機器収容部１２１には、精密機器等の機器本体１３の底面側が嵌挿され位置決め収容される。そして、このケース本体１０には、機器収容部１２１を挟んだ開口の内壁に、第１のストッパー部材を構成する例えば２個のストッパー部材１４が所定の間隔を有して軸１４１を介して矢印方向に回動自在に設けられる。このストッパー部材１４は、図示しないばね部材により図２に示す係止位置に付勢され、このばね部材（図示せず）のばね力に抗して図３に示す折畳み位置に回動可能に設けられている。
【００１１】
なお、ストッパー部材１４は、図２に示す係止位置に回動された状態で、回転止め機構を介して回転止めされるように構成してもよい。
【００１２】
また、上記ケース蓋１１には、緩衝材で形成した機器緩衝部１５が例えば開口側に空隙を有して内装され、この機器緩衝部１５には、例えば凹状の機器収容部１５１が設けられる。この機器収容部１５１には、ケース蓋１１がケース本体１０の開口側に被着された状態で、ケース本体１０の機器収容部１２１に嵌挿された機器本体１３の上面側が嵌挿される。
【００１３】
ケース蓋１１には、その開口側にストッパー解除用の２個の突起部１６がケース本体１０のストッパー部材１４に対向して設けられる。この突起部１６は、ケース蓋１１がケース本体１０に被着された状態で、ケース本体１１のストッパー部材１４を上記ばね部材（図示せず）のばね力に抗して図３に示す折畳み位置に回動付勢する。
【００１４】
また、機器本体１３には、第２のストッパー部材を構成する２個のストッパー部材１７が上記ケース本体１０のストッパー部材１４に対向して所定の間隔を有して設けられる。このストッパー部材１７は、弾性変形自在、例えば取付部１７１の一端部に係止部１７２が軸１７３を介して回動自在に設けられ、このうち取付部１７１は、図４に示すように機器本体の側面に螺子部材１８を介して着脱自在に取付けられる。
【００１５】
他方の係止部１７２は、取付部１７１の一端に軸１７３を介して回動自在に支持された状態で、図示しないばね部材を介して取付部１７１から離間する矢印方向にばね力が付与されている。これにより、ストッパー部材１７は、図２に示すようにケース本体１０のストッパー部材１４が上記ばね部材（図示せず）により係止位置に移動付勢された状態において、その係止部１７２がケース本体１０のストッパー部材１４から離間されて対向配置される。
【００１６】
上記構成において、ケース本体１０の機器収容部１２１に機器本体１３が嵌挿されて、ケース蓋１１が被着されると、その突起部１６がケース本体１０のストッパー部材１４を上記ばね部材（図示せず）のばね力に抗して回動させ、その機器収容部１５１に機器本体１３の上面側が嵌挿される。この状態でケース本体１０及びケース蓋１１は、上記ロック機構（図示せず）により図３に示すように閉塞される。この状態で、例えば図５に示すように上下方向に衝撃を受けると、機器本体１３は同方向の力を受けるが、ケース本体１０及びケース蓋１１の機器緩衝部１２，１５が同方向に変形してその衝撃を吸収することで、保護される。
【００１７】
また、図６に示すように左右方向に衝撃が加わった場合には、機器本体１３が同方向の力を受けるが、ケース本体１０の機器緩衝部１２及びケース蓋１１の機器緩衝部１５が同方向に変形してその衝撃を吸収することで、保護される。この際、機器本体１３のストッパー部材１７は、その係止部１７２が上記ばね部材（図示せず）のばね力に抗して回動され、機器緩衝部１２，１５の変形を許容して衝撃を吸収する。
【００１８】
そして、機器本体１３をケース本体１０から離脱させる場合には、ケース蓋１１をケース本体１０から離脱させ、その後、ケース本体１０のストッパー部材１４に対向されているストッパー部材１７を、機器本体１３に取付けている螺子部材１８を緩めて取付部１７１から取外す。ここで、機器本体１３は、ケース本体１０のストッパー部材１４に接触することなく、ケース本体１０の機器緩衝部１２の機器収容部１２１から離脱することが可能となる。
【００１９】
また、図７に示すようにケース蓋１１をケース本体１０から離脱させた状態で、機器本体１３がケース本体１０の機器収容部１２１から離脱された場合においても、ケース本体１０が逆さにされても、図８に示すように相互のストッパー部材１４，１７が係止される。これにより、ケース本体１０の機器緩衝部１２の機器収容部１２１に挿入された機器本体１３は、ケース本体１０からの飛び出し・落下等が防止される。この係止状態において、ストッパー部材１７の作用により外部からの衝撃が吸収される。
【００２０】
このように、上記機器保護ケースは、機器収容部１２１を有した緩衝材で形成される機器緩衝部１２をケース本体１０に設けて、ケース蓋１１に機器収容部１５１を有した緩衝材で形成される機器緩衝部１５をケース本体１０の機器緩衝部１２の機器収容部１２１に対向して設け、ケース本体１０の機器緩衝部１２の機器収容部１２１及びケース蓋１１の機器緩衝部１５の機器収容部１５１に機器本体１３を嵌挿して収容し、ケース本体１０の開口側にストッパー部材１４を設けると共に、機器筐体１３に対して、その取付面方向にばね力が付与される回動自在な係止部を有したストッパー部材１７をケース本体１０のストッパー部材１４に対向して設けるように構成した。
【００２１】
これによれば、機器本体１３をケース本体１０及びケース蓋１１内に収容した状態で、ストッパー部材１４及びストッパー部材１７により機器本体１３が機器緩衝部１２，１５に位置決めされることにより、その位置決め状態において衝撃が加わると、ケース本体１０及びケース蓋１１の機器緩衝部１２，１５が変形して衝撃を吸収して機器本体１３を衝撃から保護する。そして、ケース蓋１１がケース本体１０から離脱された状態で、機器本体１３がケース本体１１の機器収容部１２１から離脱してしまった場合にも、相互のストッパー部材１４，１７が係止され、機器本体１３がケース本体１１から飛び出し・落下するのが防止されて保護される。
【００２２】
なお、上記実施形態では、ストッパー部材１７を機器本体１３から着脱自在に配した場合で説明したが、これに限ることなく、その他、ストッパー部材１４をケース本体１０に着脱可能に配置して、このストッパー部材１４をケース本体１０から離脱させて機器本体１３をケース本体１０の機器緩衝部１２の機器収容部１２１から取出すように構成するようにしてもよい。
【００２３】
また、機器本体１３をケース本体１０の機器緩衝部１２の機器収容部１２１から離脱させる場合には、上記実施形態の如くストッパー部材１７を機器本体１３から離脱させたり、ケース本体１０に配したストッパー部材１４を該ケース本体１０から離脱させるように構成することなく、その他、例えばストッパー部材１７の係止部１７２を上記ばね部材（図示せず）のばね力に抗して反転させ、ケース本体１０のストッパー部材１４から離間させながら機器本体１３をケース本体１０の機器緩衝部１２の機器収容部１２１から取出すように構成するようにしてもよい。
【００２４】
さらに、上記実施形態では、ストッパー部材１７を取付部１７１と係止部１７２を軸１７３及びばね部材（図示せず）を介して回動自在に配置するように構成したが、これに限ることなく、その他、板ばね材を用いてプレス加工により弾性変形自在に形成するように構成してもよい。
【００２５】
また、上記実施形態では、ケース蓋１１に突起部１６を設けて、ケース本体１０にストッパー部材１４を軸１４１を介して回動自在に配するように構成したが、これに限ることなく、その他、例えばケース本体１０のストッパー部材１４を回動させることなく、係止位置に固定配置するように構成してもよい。この場合には、ケース蓋１１には、突起部１６を設けなくてもよい。
【００２６】
さらに、上記実施形態では、ケース蓋１１に内装する機器緩衝部１５に凹状の機器収容部１５１を設け、この機器収容部１５１に機器本体１３の上面側を嵌挿させて機器本体１３を位置決め収容するように構成したが、これに限ることなく、その他、ケース蓋１１の機器緩衝部１５には凹状の機器収容部１５１を設けることなく、ケース本体１０の機器収容部１２１に嵌挿させた機器本体１３の上面側をケース蓋１１の機器緩衝部１５の上面に当接させて位置決め収容するように構成してもよい。
【００２７】
本発明のいくつかの実施形態を説明したが、これらの実施形態は、例として示したものであり、発明の範囲を限定することは意図していない。これら新規な実施形態は、その他の様様な形態で実施されることが可能であり、発明の要旨を逸脱しない範囲で、種々の省略、置き換え、変更をおこなうことができる。これら実施形態やその変形は、発明の範囲や要旨に含まれるとともに、特許請求の範囲に記載された発明とその均等を範囲に含まれる。
【符号の説明】
【００２８】
１０…ケース本体、１１…ケース蓋、１２…機器緩衝部、１２１…機器収容部、１３…機器本体、１４…ストッパー部材、１４１…軸、１５…機器緩衝部、１５１…機器収容部、１６…突起部、１７…ストッパー部材、１７１…取付部、１７２…係止部、１７３…軸、１８…螺子部材。
【図１】
0005732220.tif 000002
【図２】
0005732220.tif 000003
【図３】
0005732220.tif 000004
【図４】
0005732220.tif 000005
【図５】
0005732220.tif 000006
【図６】
0005732220.tif 000007
【図７】
0005732220.tif 000008
【図８】
0005732220.tif 000009